(57)【要約】【課題】音域の異なる複数のスピーカを備え、音声の使用状況に柔軟に対応できる上に低コストなスピーカ装置を提供する。【解決手段】スピーカ装置は、ウーハ（第１スピーカ）１の前方に、ウーハ１と同軸に備えた取付軸（取付部）６にツイータ（第２スピーカ）２を取り付けてあり、第１スピーカからの音声を拡散する第１ディフューザ３を備え、更に第２スピーカからの音声を拡散する第２ディフューザ４を着脱可能に備える。取付軸６の可動軸部６２はヒンジ部６１を支点にして屈折し、ツイータ２を傾けることが可能である。スピーカ装置は、第２スピーカの向きを第１スピーカとそろえて第２ディフューザ４を装着することにより、同軸の無指向性スピーカとして機能し、第２ディフューザ４を取り外して第２スピーカを特定の方向へ向けることにより、特定の方向へ音声を発する指向性スピーカとして機能する。【選択図】図２
2008182481.tif 000002
【特許請求の範囲】
【請求項１】
音域の異なる複数のスピーカを備えるスピーカ装置において、
第１スピーカと、
該第１スピーカと音域が異なる第２スピーカと、
該第２スピーカを前記第１スピーカの前方に取り付けてある取付部とを備え、
前記第２スピーカが向きを変更できるように構成してあること
を特徴とするスピーカ装置。
【請求項２】
前記第１スピーカ及び前記第２スピーカの間に配置してあり、前記第１スピーカからの音波を拡散する第１ディフューザと、
前記第２スピーカの向きを前記第１スピーカと同一の向きに定めた場合に前記第２スピーカに対向する位置に、着脱可能に設けてあり、前記第２スピーカからの音波を拡散する第２ディフューザと
を更に備えることを特徴とする請求項１に記載のスピーカ装置。
【請求項３】
前記取付部は、前記第１スピーカと同軸に前記第１スピーカの中央から前方へ延出した固定軸部を有し、
前記第１ディフューザは、前記固定軸部に非接触で貫通された状態で設けてあること
を特徴とする請求項２に記載のスピーカ装置。
【請求項４】
前記取付部は、
前記固定軸部の一端に設けられたヒンジ部と、
一端に前記第２スピーカを取り付けてあり、他端が前記ヒンジ部を介して前記固定軸部に連結してあり、前記ヒンジ部を支点にして屈折可能な可動軸部と
を更に有することを特徴とする請求項１乃至３のいずれか一つに記載のスピーカ装置。
【請求項５】
前記取付部は、
前記固定軸部の一端に設けられたボールジョイントと、
一端に前記第２スピーカを取り付けてあり、他端が前記ボールジョイントを介して前記固定軸部に連結してあり、前記ボールジョイントを支点にして揺動可能な可動軸部と
を更に有することを特徴とする請求項１乃至３のいずれか一つに記載のスピーカ装置。
【請求項６】
前記第２スピーカは前記第１スピーカに比べてより高音域を発するスピーカであることを特徴とする請求項１乃至５のいずれか一つに記載のスピーカ装置。
【発明の詳細な説明】
【技術分野】
【０００１】
本発明は、音域の異なる複数のスピーカを備えたスピーカ装置に関し、より詳しくは、複数のスピーカを同軸に備えた無指向性のスピーカ装置に関する。
【背景技術】
【０００２】
従来、音響の分野では、特定の方向へ音波を発する指向性スピーカが広く利用されており、その一方で、発生した音波を拡散させることによって無指向の音波を発生する無指向性スピーカも実用化されている。無指向性スピーカは、音の聴取範囲が広く、音の定位を立体的に示現し、聴取者に臨場感を与えることができる。
【０００３】
特許文献１には、無指向性スピーカ装置の例が開示されている。特許文献１に開示されたスピーカ装置は、直立させた筒状筐体の開口部に低音域用スピーカ及び高音域用スピーカを同軸で設け、スピーカ装置の周囲に対して均等に音波を出力できるように構成されている。低音域用スピーカ及び高音域用スピーカが同軸上に配置されているので、低音域用スピーカと高音域用スピーカとが分散して配置されているスピーカ装置に比べて、音の定位が明確になるという利点がある。
【特許文献１】特開平５−５６４９３号公報
【発明の開示】
【発明が解決しようとする課題】
【０００４】
無指向性スピーカは、広い範囲に均質な音声を流すことができるので、バックグラウンドミュージック（ＢＧＭ）又はアナウンス等の同一の音声を広い範囲に均一に流す用途に適している。その一方で、特定の場所で個別のアナウンスを流す場合、又はモニターを用いた映像鑑賞の際にモニター正面に位置する鑑賞者に対して音声を聴かせる場合等、狭い範囲内に高品質の音声を流す用途には、特定の方向へ音波を発する指向性スピーカが適している。このように、音声の利用状況によっては、無指向性スピーカの方が適している状況と指向性スピーカの方が適している状況とがあるので、状況に応じてスピーカを使い分けることが望ましい。しかしながら、音声の使用状況に柔軟に対応できるように両種類のスピーカを用意しておくことには、コストが増大するという問題がある。特に個人の使用者にとっては、金銭的な負担が大きく、スピーカのために多大なスペースを要するという問題がある。
【０００５】
本発明は、斯かる事情に鑑みてなされたものであって、その目的とするところは、指向性スピーカとしても無指向性スピーカとしても使用できるように構成することにより、音声の使用状況に柔軟に対応できる上に低コストなスピーカ装置を提供することにある。
【０００６】
また本発明の他の目的とするところは、複数のスピーカを同軸で備えたスピーカ装置において、スピーカ間で伝わる振動によって音声が劣化することを抑制することができるスピーカ装置を提供することにある。
【課題を解決するための手段】
【０００７】
本発明に係るスピーカ装置は、音域の異なる複数のスピーカを備えるスピーカ装置において、第１スピーカと、該第１スピーカと音域が異なる第２スピーカと、該第２スピーカを前記第１スピーカの前方に取り付けてある取付部とを備え、前記第２スピーカが向きを変更できるように構成してあることを特徴とする。
【０００８】
本発明においては、第１スピーカの前方に第２スピーカを配置してスピーカ装置を構成し、第２スピーカの向きを変更することが可能なように構成する。第２スピーカを任意の角度に傾けることにより、第２スピーカの向きを特定の方向へ向けることができる。
【０００９】
本発明に係るスピーカ装置は、前記第１スピーカ及び前記第２スピーカの間に配置してあり、前記第１スピーカからの音波を拡散する第１ディフューザと、前記第２スピーカの向きを前記第１スピーカと同一の向きに定めた場合に前記第２スピーカに対向する位置に、着脱可能に設けてあり、前記第２スピーカからの音波を拡散する第２ディフューザとを更に備えることを特徴とする。
【００１０】
また本発明においては、第１スピーカと第２スピーカとの間に第１スピーカからの音声を拡散する第１ディフューザを備え、更に、第１スピーカと同一の向きに向いた第２スピーカからの音声を拡散する第２ディフューザを着脱可能に備える。第２スピーカの向きを第１スピーカと同一の向きに定めて第２ディフューザを装着した状態では、第１スピーカ及び第２スピーカからの音声は拡散する。第２ディフューザを取り外して第２スピーカを特定の方向に向けた状態では、第２スピーカからの音声は特定の方向へ発せされる。
【００１１】
本発明に係るスピーカ装置は、前記取付部は、前記第１スピーカと同軸に前記第１スピーカの中央から前方へ延出した固定軸部を有し、前記第１ディフューザは、前記固定軸部に非接触で貫通された状態で設けてあることを特徴とする。
【００１２】
また本発明においては、第２スピーカを取り付けてある取付部が有する固定軸部は第１ディフューザに対して非接触の状態で備えられているので、第１スピーカから第１ディフューザ及び取付部を介して第２スピーカへ伝わる振動が低減される。
【００１３】
本発明に係るスピーカ装置は、前記取付部は、前記固定軸部の一端に設けられたヒンジ部と、一端に前記第２スピーカを取り付けてあり、他端が前記ヒンジ部を介して前記固定軸部に連結してあり、前記ヒンジ部を支点にして屈折可能な可動軸部とを更に有することを特徴とする。
【００１４】
また本発明においては、取付部はヒンジ部とヒンジ部を介して固定軸部に連結した可動軸部とを備え、第２スピーカを取り付けた可動軸部はヒンジ部を支点にして固定軸部に対して屈折し、第２スピーカが軸方向に対して傾くことが可能となる。
【００１５】
本発明に係るスピーカ装置は、前記取付部は、前記固定軸部の一端に設けられたボールジョイントと、一端に前記第２スピーカを取り付けてあり、他端が前記ボールジョイントを介して前記固定軸部に連結してあり、前記ボールジョイントを支点にして揺動可能な可動軸部とを更に有することを特徴とする。
【００１６】
また本発明においては、取付部はボールジョイントとボールジョイントを介して固定軸部に連結した可動軸部とを備え、第２スピーカを取り付けた可動軸部はボールジョイントを支点にして任意の方向へ揺動し、第２スピーカを任意の方向に向けることが可能となる。
【００１７】
本発明に係るスピーカ装置は、前記第２スピーカは前記第１スピーカに比べてより高音域を発するスピーカであることを特徴とする。
【００１８】
更に本発明においては、第２スピーカが発する音声は、第１スピーカよりも高音域の音声であり、指向性が高い。
【発明の効果】
【００１９】
本発明にあっては、スピーカ装置は、第２スピーカの向きを第１スピーカの向きと同一に定めて第２ディフューザを装着することにより、同軸の無指向性スピーカとして機能し、第２ディフューザを取り外して第２スピーカを特定の方向へ向けることにより、特定の方向へ音声を発する指向性スピーカとして機能する。即ち、音声の利用状況に応じた最適な音声利用法を実行することが可能となり、音声の使用状況に柔軟に対応できるように無指向性スピーカと指向性スピーカとの両種類のスピーカを用意しておく必要がなくなるので、音声の使用状況に柔軟に対応できる上に低コストなスピーカ装置を実現することができる。特に個人の使用者にとって、音声の使用状況に柔軟に対応できるスピーカ装置のための金銭的な負担が小さくなり、スピーカ装置のために必要なスペースを削減することができる。
【００２０】
また本発明にあっては、取付部は第１ディフューザと非接触状態であるので、第１スピーカから第１ディフューザ及び取付部を介して第２スピーカへ伝わる振動が低減され、振動によって第２スピーカからの音声が乱されることによる音質の劣化を抑制することが可能となる。
【００２１】
また本発明にあっては、第２スピーカを取り付ける取付部にヒンジ部を設けたことにより、第２スピーカを軸方向に対して任意の傾きに傾けることができるようになり、特定の方向へ音声を発する指向性スピーカの機能を容易に実現することが可能となる。
【００２２】
また本発明にあっては、第２スピーカを取り付ける取付部にボールジョイントを設けたことにより、スピーカ装置自体を移動させることなく第２スピーカを任意の方向に向けることができるようになり、使用者の所望の方向へ音声を発するように容易に調整することが可能となる。
【００２３】
更に本発明にあっては、指向性の高い高音域の音声を発する第２スピーカを特定の方向に向けることにより、スピーカ装置は、特定の方向に対する音声の良好な指向性を有する指向性スピーカとして機能することができる等、本発明は優れた効果を奏する。
【発明を実施するための最良の形態】
【００２４】
以下本発明をその実施の形態を示す図面に基づき具体的に説明する。
図１は、本発明のスピーカ装置の概要を示す模式的斜視図である。スピーカ装置は、筐体５、中音域から低音域の音声を発するスピーカであるウーハ（第１スピーカ）１、高音域の音声を発するスピーカであるツイータ（第２スピーカ）２、ウーハ１からの音波を拡散する第１ディフューザ３、ツイータ２からの音波を拡散する第２ディフューザ４及びスタンド５１を含んで構成される。なお、第２スピーカは、第１スピーカよりも高音域の音声を発するスピーカであれば良く、第１スピーカを超低音用のサブウーハとし、第２スピーカを中音用のスコーカとする等、その他の組み合わせで第１スピーカ及び第２スピーカを構成しても良い。
【００２５】
筐体５は木材、アルミニウム等の金属、透光性樹脂、またはガラス等から製造され、中空の筒形状をなす。なお、本実施の形態においては筐体５が断面視略円形の筒形状をなすものとして説明するが、これに限るものではなく断面視楕円形状のものであっても良い。さらに筒形状に限るものではなく、中空三角柱状、または中空多角柱状のものであっても良い。筐体５の下側には、複数のスタンド５１、５１、５１が筐体５外周面にビス止めまたは接着剤等により固定されている。筐体５は、スタンド５１、５１、５１によって、長手方向を縦にして設置される。
【００２６】
筐体５上側の開口には、ウーハ１が載置されており、筐体５の長手方向に沿うウーハ１の同軸上に第１ディフューザ３の一部、ツイータ２及び第２ディフューザ４が筐体５上側の開口から突出している。第１ディフューザ３は例えば略漏斗形状をなし、支持軸３１及び拡散板３２を含んで構成される。支持軸３１は後述するようにその一端（先端）がウーハ１のヨークに固定されて立設されており、支持軸３１の他端は拡散板３２に連結している。拡散板３２は平面視が円形、側面視が略逆三角形をなし、ウーハ１の振動板１１からの音波を、支持軸３１の軸方向と交差する方向へ拡散する。
【００２７】
支持軸３１は中空の円筒であり、一端にツイータ２が取り付けられた取付軸（取付部）６が支持軸３１の内部を貫通して設けられている。取付軸６の他端はウーハ１のヨークに固定されている。ツイータ２は音波出力面を上側に向けて取付軸６に支持されている。ツイータ２の上側には第１ディフューザ３と略同一形状をなす第２ディフューザ４が設けられている。第２ディフューザ４は、連結棒４１、４１・・・及び拡散板４２を含んで構成される。連結棒４１は一端が第１ディフューザ３の拡散板３２の外周に着脱可能に取り付けられており、他端が拡散板４２の外周に固定されている。なお、連結棒４１と拡散板３２の外周との連結を解除することにより、第２ディフューザ４は取り外しが可能である。拡散板４２はツイータ２の上側に設けられる平面視円形、側面視略逆三角形をなし、ツイータ２からの音波を取付軸６の軸方向と交差する方向へ拡散する。
【００２８】
図２は本発明のスピーカ装置の縦断面を示す模式的部分縦断面図であり、図３は本発明のスピーカ装置の縦断面を示す斜視断面図であり、図４はスピーカ装置を構成する部品の縦断面を示す分解斜視断面図である。ウーハ１は、ヨーク１２、マグネット１３、トップブレード１４、フレーム１５、コイルボビン１６、ダンパ１７、エッジ１８及び振動板１１を含んで構成される。ウーハ１の底部に設けられる底面視環状のヨーク１２は、フランジ状に形成され、ウーハ１の底に位置するボトムプレート１２１と、円筒状に形成され、ボトムプレート１２１の中央部から上方へ突設されたセンターポール１２２とを含んで構成されている。フランジ状のボトムプレート１２１及び円筒状のセンターポール１２２には、中心軸を含む上下方向の貫通孔を形成しており、貫通孔の内面にはネジ溝１２３が形成されている。貫通孔及びネジ溝１２３は、後述するように、取付軸６を固定できる大きさに形成されている。
【００２９】
ボトムプレート１２１上にはドーナツ状のマグネット１３、トップブレード１４、フレーム１５及びダンパ１７が載置されている。コイルボビン１６はセンターポール１２２の外周面上に設けられ、また図示しないボイスコイルによりセンターポール１２２の外周にて巻回されている。センターポール１２２は、外周にあるコイルボビン１６と共に、さらにその外周にある同心円状のマグネット１３及びトップブレード１４を貫通し、コイルボビン１６はその外周にあるフレーム１５及びダンパ１７を貫通している。
【００３０】
コイルボビン１６の上側は振動板１１に接続されており、コイルボビン１６及び振動板１１により断面視略Ｙの字型の略漏斗形状をなす。振動板１１は上側へ延びるに従って平面視における半径が大きくなる断面視略Ｖの字形態をなし、半径が最大となるその外周には断面視半円形の環状のエッジ１８が周設される。エッジ１８の外周側にはさらに断面視矩形状の環状の保持板１５１が周設されている。円筒状の筐体５の上側開口の外周面には断面視Ｌ字型の環状の段部５２が周設されており、この段部５２にウーハ１の保持板１５１が載置されている。
【００３１】
第１ディフューザ３は支持軸３１及び拡散板３２を含んで構成されている。支持軸３１は、円筒形状をなし、下側の先端にはネジ部３４が突設されており、中央部は中心軸を含む上下方向の貫通孔となっている。ネジ部３４の外周面にはセンターポール１２２のネジ溝１２３に螺合するためのネジ山が形成されている。ネジ部３４の外周の半径は、ヨーク１２のセンターポール１２２内周面であるネジ溝１２３に螺合するよう、センターポール１２２の内周面半径と略同一となるよう作成されている。支持軸３１の外周面の半径はネジ部３４のネジ溝１２３への螺合を適宜の位置で終了させるべく、センターポール１２２の内周面の半径よりも大きく形成されている。即ち、支持軸３１の外周面半径、センターポール１２２の内周面の半径、ネジ部３４の外周面半径の順に半径が小さくなっている。
【００３２】
第１ディフューザ３をウーハ１のヨーク１２に固定する場合、支持軸３１をウーハ１の上側からセンターポール１２２の貫通孔に向けて挿入し、ネジ部３４をセンターポール１２２のネジ溝１２３に螺合する。螺合が進行した場合、半径が大きくなる支持軸３１の底面にセンターポール１２２の頭部が当接し、第１ディフューザ３の固定が完了する。なお、本実施の形態においてはネジ部３４及びネジ溝１２３による取り付け方法を例に挙げたが、これに限るものではなく、接着剤等を用いて固定しても良く、またネジ部３４に代えてフックを設け、ネジ溝１２３に代えて孔を設け当該孔にフックを係止させることにより両者を固定するようにしても良い。
【００３３】
円筒状の支持軸３１の上側他端の開口は拡散板３２に接続されており、支持軸３１及び拡散板３２により、断面視が略Ｙの字型の略漏斗形状をなす。拡散板３２は上側へ延びるに従って平面視における半径が大きくなる断面視略Ｖの字形態をなし、半径が最大となるその外周には環状のエッジ３６が周設されている。エッジ３６の適宜の位置（本実施の形態においては４カ所）には連結棒４１を支持するための連結凹部３５が開口を上側に臨ませて設けられている。
【００３４】
取付軸６は、略同一径の円柱状に形成された固定軸部６３と、固定軸部６３の上側の一端に設けられたヒンジ部６１と、ヒンジ部６１を介して固定軸部６３に連結した可動軸部６２と、固定軸部６３の下側の他端に設けられた支持部６４とを含んで構成されている。可動軸部６２は、ツイータ２が取り付けられる部分であり、一端にはツイータ２に螺合するための先端ネジ部６２１が形成されている。ヒンジ部６１は、固定軸部６３に対して可動軸部６２が屈折可能なように可動軸部６２の他端を固定軸部６３の端に連結する機構であり、可動軸部６２はヒンジ部６１を支点にして屈折可能である。ヒンジ部６１は可動軸部６２と固定軸部６３との連結部分に摩擦を与える構成となっており、固定軸部６３に対する可動軸部６２の角度を任意の角度に保持できるようになっている。なお、ヒンジ部６１は、固定軸部６３に対する可動軸部６２の角度を任意の角度で固定する固定ネジ等の角度保持機構を備えた形態であってもよい。
【００３５】
支持部６４は、ウーハ１のヨーク１２に固定されて取付軸６を支持する部分であり、固定軸部６３よりも径が大きい円柱状に形成されており、外周面にはヨーク１２のネジ溝１２３に螺合するためのネジ部６４３が形成されている。ネジ部６４３がネジ溝１２３に螺合できるように、センターポール１２２の内径とネジ部６４３の外径とは略同一径となっている。また支持部６４は、センターポール１２２の内径よりも径が大きい平ワッシャ６４２及びヘッド６４１を備えている。
【００３６】
取付軸６の半径は、支持部６４、固定軸部６３及び先端ネジ部６２１の順に小さくなるよう構成されている。またネジ部６４３の長手方向の長さは、ネジ部６４３の長さと第１ディフューザ３のネジ部３４の長手方向の長さとの和が、センターポール１２２の内周面であるネジ溝１２３の長手方向の長さと略等しい長さまたはそれ以下とすればよい。例えば、センターポール１２２の内周面であるネジ溝１２３の長手方向の長さを５ｃｍとした場合、ネジ部６４３の長手方向の長さを４ｃｍ、第１ディフューザ３のネジ部３４の長手方向の長さを１ｃｍとすれば良い。
【００３７】
固定軸部６３は、取付軸６がヨーク１２に固定された状態では、ウーハ１と同軸にウーハ１の中央から前方へ延出し、ヨーク１２のネジ溝１２３及び第１ディフューザ３の支持軸３１の内面に接触しないようこれらを貫通する。そのため、固定軸部６３の半径はセンターポール１２２の内周面半径及び支持軸３１の内周面半径よりも小さく設定されている。これにより取付軸６及びツイータ２に対する第１ディフューザ３の支持軸３１による振動の影響が低減される。固定軸部６３の長手方向の長さは、ネジ部６４３がネジ溝１２３に完全に螺合して可動軸部６２にツイータ２が取り付けられた場合に、後述するようにヒンジ部６１を支点にしてツイータ２が傾いた状態でもツイータ２が第１ディフューザ３に接触しないように設定すればよい。また、本実施の形態においては、第１ディフューザ３の支持軸３１を円筒状としたが、これに限るものではなく、取付軸６と接触しない形状であれば他の形状であっても良い。例えば中空の多角筒形状としても良い。
【００３８】
ツイータ２はヨーク２１及びネジ溝２２を含んで構成される。ツイータ２の底面に設けられるドーナツ状のヨーク２１の中央部内周面にはネジ溝２２が形成されている。ネジ溝２２の半径は、取付軸６の可動軸部６２の先端に形成された先端ネジ部６２１との螺合を可能とすべく、先端ネジ部６２１の半径と略同一に設定している。取付軸６の可動軸部６２がヒンジ部６１を支点にして屈折することにより、ツイータ２はスピーカ装置の軸に対して傾くことが可能となっている。
【００３９】
ウーハ１に第１ディフューザ３を螺合した後に、取付軸６及びツイータ２を取り付ける手順について説明する。ヨーク１２の下側からセンターポール１２２の貫通孔へ平ワッシャ６４２を介在させて取付軸６を挿通する。可動軸部６２及び固定軸部６３は、ネジ溝１２３と螺合することなく貫通し、さらに、第１ディフューザ３の支持軸３１の中心を螺合完了時に接触しないように貫通する。取付軸６の挿通に従い、ネジ部６４３とネジ溝１２３とが噛み合いヘッド６４１を回転させることにより、上側方向へ向けて螺合が進行する。螺合が進行し、平ワッシャ６４２を介してヘッド６４１がヨーク１２に当接する時点で螺合が完了する。この状態では、取付軸６の支持部６４は、ヨーク１２のセンターポール１２２に接触して貫通し、固定軸部６３は第１ディフューザ３の支持軸３１に接触することなく貫通し、可動軸部６２が支持軸３１の先端開口から突出する。可動軸部６２に形成された先端ネジ部６２１は、ツイータ２のネジ溝２２に螺合されツイータ２が取付軸６に取り付けられる。
【００４０】
第２ディフューザ４は拡散板４２、連結棒４１及びエッジ４３を含んで構成される。第２ディフューザ４はお椀形状をなし、拡散板４２の外周には環状のエッジ４３が周設されている。エッジ４３の適宜の位置（本実施の形態においては４カ所）には連結棒４１が垂設されている。連結棒４１の先端は第１ディフューザ３のエッジ３６上に設けられる連結凹部３５に挿入される。これにより、第２ディフューザ４の第１ディフューザ３への取り付けが完了する。なお、連結棒４１を連結凹部３５から引き抜くことにより、第２ディフューザ４をスピーカ装置から取り外すことができる。
【００４１】
以上の手順により一体化されたウーハ１、第１ディフューザ３、取付軸６、ツイータ２及び第２ディフューザ４は筐体５の上側開口からウーハ１のヨーク１２を下側にして挿入され、保持板１５１を段部５２上に載置することにより、図１に示す如き本発明のスピーカ装置が完成する。なお、保持板１５１と段部５２との間に振動吸収用のゲル等を間挿するようにしても良い。
【００４２】
図１に示す本発明のスピーカ装置では、ツイータ２が上側を向き、第２ディフューザ４がツイータ２の前方に配置されている。この状態でスピーカ装置を動作させた場合には、ウーハ１が発する音波は第１ディフューザ３によって水平方向に拡散し、ツイータ２が発する音波は第２ディフューザ４によって水平方向に拡散し、スピーカ装置は同軸の無指向性スピーカとして機能する。このとき、取付軸６は第１ディフューザ３と非接触状態であるので、ウーハ１から第１ディフューザ３及び取付軸６を介してツイータ２へ伝わる振動が低減され、振動によってツイータ２からの音声が乱されることによる音質の劣化を抑制することが可能となる。
【００４３】
図５は第２ディフューザ４を取り外してツイータ２を傾けたスピーカ装置を示す模式的斜視図であり、図６は第２ディフューザ４を取り外してツイータ２を傾けたスピーカ装置の縦断面を示す模式的部分縦断面図であり、図７は第２ディフューザ４を取り外してツイータ２を傾けたスピーカ装置の縦断面を示す斜視断面図である。前述の如く、第２ディフューザ４はスピーカ装置から取り外すことが可能であり、ツイータ２を取り付けた取付軸６の可動軸部６２がヒンジ部６１を支点にして屈折することにより、ツイータ２はスピーカ装置の軸方向に対して任意の角度で傾いた向きに向くことが可能である。
【００４４】
ヒンジ部６１を支点にしてツイータ２を任意の角度に傾け、スピーカの位置を軸周りに調整することによって、ツイータ２が聴取者の位置等の特定の方向へ向いた状態にすることができる。この状態でスピーカ装置を動作させた場合は、ツイータ２は特定の方向へ音声を発する指向性スピーカとして機能する。ツイータ２が発する高音域の音声は指向性が高く、また音声がディフューザによって拡散されることもないので、ツイータ２は良好な指向性を有する指向性スピーカとして機能する。また、この状態でもウーハ１は無指向性スピーカとして機能するものの、ウーハ１が発する中音域から低音域の音声は高音域に比べて指向性に劣り、指向性スピーカであっても低音域の指向性は低いものであるので、スピーカ装置は、従来の指向性スピーカとほぼ同等の指向性で音声を発することができる。
【００４５】
以上詳述した如く、本発明のスピーカ装置は、ツイータ２をウーハ１と同一の方向に向けて第２ディフューザ４を装着することにより、同軸の無指向性スピーカとして機能し、第２ディフューザ４を取り外してツイータ２を特定の方向へ向けることにより、特定の方向へ音声を発する指向性スピーカとして機能する。即ち、本発明のスピーカ装置は、ＢＧＭを流す場合等、音声を広い範囲に均一に流す用途では無指向性スピーカとして使用し、映像鑑賞の際に鑑賞者に対して音声を聴かせる場合等、狭い範囲内に高品質の音声を流す用途では指向性スピーカとして使用することができる。このように、本発明のスピーカ装置は、無指向性スピーカとしても指向性スピーカとしても使用できるので、音声の利用状況に応じた最適な音声利用法を実行することが可能となる。音声の使用状況に柔軟に対応できるように両種類のスピーカを用意しておく必要がなくなるので、音声の使用状況に柔軟に対応できる上に低コストなスピーカ装置を実現することができる。特に個人の使用者にとって、音声の使用状況に柔軟に対応するための金銭的な負担が小さくなり、スピーカ装置のために必要なスペースを削減することができる。更に、一台のスピーカ装置で無指向性スピーカと指向性スピーカとの機能を実現できるので、両種類のスピーカを用意して使い分ける場合に比べて、スピーカ装置の利用効率が向上する。
【００４６】
なお、本実施の形態においては、取付軸６にヒンジ部６１を設けることによってツイータ２を傾けることができる形態を示したが、これに限るものではなく、本発明のスピーカ装置は、その他の構成でツイータ２を傾けることができる形態であってもよい。例えば、スピーカ装置は、ヒンジ部６１が固定軸部６３の軸周りに回動可能な機構を設けた形態であってもよい。この形態の場合は、ツイータ２をより容易に特定の方向へ向けることが可能となる。
【００４７】
また本発明のスピーカ装置は、取付軸６がヒンジ部６１ではなくボールジョイントを設け、可動軸部６２がボールジョイントを介して固定軸部６３の端に連結している形態であってもよい。図８は、取付軸がボールジョイントを設けた本発明のスピーカ装置の一部の断面構造を示す模式的部分縦断面図である。取付軸６の固定軸部６３の端部にボールジョイント６５が設けられており、可動軸部６２はボールジョイント６５を介して固定軸部６３に連結されている。ボールジョイント６５は、可動軸部６２の先端ネジ部６２１とは逆端に一体に連結したボール部６５１と、ボール部６５１を包む樹脂製のベアリング６５２と、ベアリング６５２を内包するハウジング６５３とを含んでなり、ハウジング６５３の可動軸部６２側に開いた開口付近を軸芯側にかしめて構成されている。なお、ベアリング６５２は、グリース又はゴム等で形成してあってもよい。可動軸部６２は、ボールジョイント６５を支点にして任意の方向へ揺動可能である。ベアリング６５２は、ボール部６５１とハウジング６５３との間に摩擦を与える構成となっており、固定軸部６３に対する可動軸部６２の角度を任意の角度に保持できるようになっている。
【００４８】
図８に示す構成を含む本発明のスピーカ装置では、可動軸部６２はボールジョイント６５を支点にして任意の方向へ任意の角度で屈折することができ、可動軸部６２に取り付けられたツイータ２の向きを任意の方向へ向けることが可能となる。従って、スピーカ装置自体を移動させることなくツイータ２を任意の方向へ向けることが可能となり、使用者の所望の方向へ音声を発するように容易に調整することが可能なスピーカ装置を実現することができる。
【図面の簡単な説明】
【００４９】
【図１】本発明のスピーカ装置の概要を示す模式的斜視図である。
【図２】本発明のスピーカ装置の縦断面を示す模式的部分縦断面図である。
【図３】本発明のスピーカ装置の縦断面を示す斜視断面図である。
【図４】スピーカ装置を構成する部品の縦断面を示す分解斜視断面図である。
【図５】第２ディフューザを取り外してツイータを傾けたスピーカ装置を示す模式的斜視図である。
【図６】第２ディフューザを取り外してツイータを傾けたスピーカ装置の縦断面を示す模式的部分縦断面図である。
【図７】第２ディフューザを取り外してツイータを傾けたスピーカ装置の縦断面を示す斜視断面図である。
【図８】取付軸がボールジョイントを設けた本発明のスピーカ装置の一部の断面構造を示す模式的部分縦断面図である。
【符号の説明】
【００５０】
１  ウーハ（第１スピーカ）
１１    振動板
１２    ヨーク
１２１  ボトムプレート
１２２  センターポール
１２３  ネジ溝
１４    トップブレード
１５  フレーム
２  ツイータ（第２スピーカ）
３  第１ディフューザ
３１  支持軸
３２  拡散板
３４  ネジ部
３５  連結凹部
４  第２ディフューザ
４１  連結棒
４２  拡散板
５  筐体
６  取付軸（取付部）
６１  ヒンジ部
６２  可動軸部
６３  固定軸部
６４  支持部
６５  ボールジョイント
【図１】
2008182481.tif 000003
【図２】
2008182481.tif 000004
【図３】
2008182481.tif 000005
【図４】
2008182481.tif 000006
【図５】
2008182481.tif 000007
【図６】
2008182481.tif 000008
【図７】
2008182481.tif 000009
【図８】
2008182481.tif 000010